(57)【要約】  本発明は、複合型電流測定装置を開示する。本発明の一面によれば、ホールセンサー及びシャント抵抗体を複合的に用いて電流を測定する複合型電流測定装置であって、印刷回路基板と、予め決められた抵抗値を有する抵抗部及び抵抗部の両側へ各々延びる端子部を備え、印刷回路基板の下面に付着されるシャント抵抗体と、印刷回路基板を挟んでシャント抵抗体と対向して印刷回路基板の上面に実装されるホールセンサーと、を含む複合型電流測定装置を提供することができる。
2021512290.tif 000002
【特許請求の範囲】
【請求項１】
ホールセンサー及びシャント抵抗体を複合的に用いて電流を測定する複合型電流測定装置であって、
印刷回路基板と、
予め決められた抵抗値を有する抵抗部及び前記抵抗部の両側へ各々延びる端子部を備え、前記印刷回路基板の下面に付着されるシャント抵抗体と、
前記印刷回路基板を挟んで前記シャント抵抗体と対向して前記印刷回路基板の上面に実装されるホールセンサーと、を含む、複合型電流測定装置。
【請求項２】
前記シャント抵抗体の端子部には、前記抵抗部を挟んで第１締結孔が一つずつ設けられ、
前記第１締結孔及び前記印刷回路基板に備えられる電圧測定ノードに一体で結合して前記シャント抵抗体を前記印刷回路基板の下面に固定すると共に、前記端子部と前記電圧測定ノードとを電気的に接続するジョイント部材をさらに含む、請求項１に記載の複合型電流測定装置。
【請求項３】
前記印刷回路基板は、他の部分よりも外側へ突出して形成され、突出方向と交差する方向に沿った横長が前記シャント抵抗体よりも短く設けられるセンサー装着部を含み、
前記シャント抵抗体は、前記センサー装着部の下面に付着される、請求項１または２に記載の複合型電流測定装置。
【請求項４】
前記センサー装着部は、
所定のギャップを置いて相互分離した第１装着部及び第２装着部を含む、請求項３に記載の複合型電流測定装置。
【請求項５】
前記ホールセンサー及び前記シャント抵抗体の一部を囲む壁体を形成するシールド部材をさらに含む、請求項４に記載の複合型電流測定装置。
【請求項６】
前記シールド部材は、
前記シャント抵抗体の幅方向へ離隔し、前記センサー装着部に対して垂直に配置される一対の垂直板と、前記シャント抵抗体の下で前記一対の垂直板を連結する水平板と、を含む、請求項５に記載の複合型電流測定装置。
【請求項７】
前記第１装着部と前記第２装着部とのギャップが「Ｌ」字形に備えられ、前記一対の垂直板のいずれか一つは、前記ギャップを垂直に通過する、請求項６に記載の複合型電流測定装置。
【請求項８】
前記シャント抵抗体と前記シールド部材との絶縁を維持し、前記センサー装着部に前記シャント抵抗体と前記シールド部材とを一体で装着できるように設けられる組立てガイドユニットをさらに含む、請求項６または７に記載の複合型電流測定装置。
【請求項９】
前記組立てガイドユニットは、
所定の距離で離隔した位置で前記シャント抵抗体の周り及び前記シールド部材の水平板の周りを各々囲む二重構造で設けられる二つの支持パーツを含む、請求項８に記載の複合型電流測定装置。
【請求項１０】
前記二つ支持パーツを一体として連結し、前記シャント抵抗体と前記シールド部材の水平板との間に配置される絶縁板膜をさらに含む、請求項９に記載の複合型電流測定装置。
【請求項１１】
請求項１から請求項１０のいずれか一項に記載の複合型電流測定装置を含む、バッテリーパック。
【発明の詳細な説明】
【技術分野】
【０００１】
本発明は、電流測定装置に関し、相異なる電流測定原理を有した複数の電流測定用センサーを統合した複合型電流測定装置に関する。
【０００２】
本出願は、２０１８年１１月２０日出願の韓国特許出願第１０−２０１８−０１４３７８５号に基づく優先権を主張し、該当出願の明細書及び図面に開示された内容は、すべて本出願に組み込まれる。
【背景技術】
【０００３】
二次電池を用いるバッテリーパックの電力供給システムには、通常、電流を測定するための電流センサーが備えられる。電流センサーは、バッテリーパックの充放電経路に流れる電流を測定してバッテリーパックの状態をモニターし、  バッテリーパックに流れる過電流などを検知する。そして、電流センサーによって測定された電流は、ＳＯＣを計算する情報として活用されるか、または充放電過程が正常に行われているか否かなどを判断するのに活用することができる。
【０００４】
ところが、このような電流センサーが故障などによって正常に動作しない場合、バッテリーパックに流れる電流をまともに検知できなくなる。そして、その結果、過電流が流れるなどの異常状況が発生しても、これを適切に遮断することができず、バッテリーパックの故障や爆発のような深刻な問題を惹起し得る。
【０００５】
特に、最近、電気自動車のエネルギー貯蔵装置として脚光を浴びているリチウム二次電池バッテリーパックの場合、１００Ａ〜３００Ａ程度で充放電電流の大きい場合が多いが、このような電気自動車用バッテリーパックにおいて電流センサーが充放電電流をまともに測定できれば、その危険性がさらに大きくなるはずである。
【０００６】
現在、電流センサーには多様なタイプがあるが、図１に示したようなシャント抵抗（Ｓｈｕｎｔ  ｒｅｓｉｓｔｏｒ）がバッテリーパックの電流測定に広く使用されている。図１に示したように、既存の一般的なシャント抵抗２は、抵抗部３及び抵抗部３の両端に各々接続した端子部４を備え、各端子部４には、電圧測定のためのリードピン５が備えられる。リードピンをＰＣＢの上にはんだ付けして電圧を測定し、オームの法則を適用して電流値を求める。
【０００７】
ところが、従来のシャント抵抗は、リードピン５が自動車の運行時に発生する振動や衝撃に弱くて破損の恐れが大きい。リードピンの破損は、電流センサー故障の主な原因である場合が多い。
【０００８】
一方、電気自動車が広く商用化するにつれ、その安全基準（例えば、ＩＳＯ  ２６２６２）が強化され、これを満たすためには、電流検知装置の誤作動に備えてこれを検知及び診断できる方案が要求されている。
【０００９】
その方案の一つとして、二種以上の同種または異種の電流センサーを用いて、電流センサー同士の誤差発生を含む誤作動の検知及び診断方案が提示されているが、安全性と経済性とを共に図り得る複合型電流測定装置の設計が容易でなない。
【発明の概要】
【発明が解決しようとする課題】
【００１０】
本発明は、上記問題点に鑑みてなされたものであり、複数の電流センサーでバッテリーパックの電流を測定することができる複合型電流測定装置を提供することを目的とする。
【００１１】
また、本発明は、振動及び衝撃条件においても安定的に作動でき、電気自動車の機能安全性を満たすことができる複合型電流測定装置を提供することを他の目的とする。
【課題を解決するための手段】
【００１２】
上記の課題を達成するため、本発明の一面によれば、ホールセンサー及びシャント抵抗体を複合的に用いて電流を測定する複合型電流測定装置であって、印刷回路基板と、予め決められた抵抗値を有する抵抗部及び抵抗部の両側へ各々延びる端子部を備え、印刷回路基板の下面に付着されるシャント抵抗体と、印刷回路基板を挟んでシャント抵抗体と対向して印刷回路基板の上面に実装されるホールセンサーと、を含む複合型電流測定装置を提供することができる。
【００１３】
シャント抵抗体の端子部には、抵抗部を挟んで第１締結孔が一つずつ設けられ、第１締結孔及び印刷回路基板に備えられる電圧測定ノードに一体で結合してシャント抵抗体を印刷回路基板の下面に固定すると共に、端子部と電圧測定ノードとを電気的に接続するジョイント部材をさらに含み得る。
【００１４】
印刷回路基板は、他の部分よりも外側へ突出して形成され、突出方向と交差する方向に沿った横長がシャント抵抗体よりも短く設けられるセンサー装着部を含み、シャント抵抗体は、センサー装着部の下面に付着され得る。
【００１５】
センサー装着部は、所定のギャップを置いて相互分離した第１装着部及び第２装着部を含み得る。
【００１６】
ホールセンサー及びシャント抵抗体の一部を囲む壁体を形成するシールド部材をさらに含み得る。
【００１７】
シールド部材は、シャント抵抗体の幅方向へ離隔し、センサー装着部に対して垂直に配置される一対の垂直板と、シャント抵抗体の下で一対の垂直板を連結する水平板と、を含み得る。
【００１８】
第１装着部と第２装着部とのギャップが「Ｌ」字形に備えられ、一対の垂直板のいずれか一つは、ギャップを垂直に通過し得る。
【００１９】
シャント抵抗体とシールド部材との絶縁を維持し、センサー装着部にシャント抵抗体とシールド部材とを一体で装着できるように設けられる組立てガイドユニットをさらに含み得る。
【００２０】
組立てガイドユニットは、所定の距離で離隔した位置でシャント抵抗体の周り及びシールド部材の水平板の周りを各々囲む二重構造で設けられる二つの支持パーツを含み得る。
【００２１】
二つ支持パーツを一体として連結し、シャント抵抗体とシールド部材の水平板との間に配置される絶縁板膜をさらに含み得る。
【００２２】
なお、本発明の他の様態によれば、前述した複合型電流測定装置を含むバッテリーパックを含み得る。
【発明の効果】
【００２３】
本発明の一面によれば、二種の電流センサーでバッテリーパックの電流を測定することができ、電流センサー同士の誤差発生を含む誤作動の有無を検知及び診断することができる。
【００２４】
本発明の他面によれば、振動または衝撃条件においてもバッテリーパックの電流を安定的に測定することができ、電流センサーの組立構造が空間効率的な複合型電流測定装置を提供することができる。
【図面の簡単な説明】
【００２５】
【図１】従来技術によるシャント抵抗体を示した図である。
【図２】本発明の一実施例による複合型電流測定装置の構成を示した斜視図である。
【図３】本発明の実施例による印刷回路基板の主要部分の平面図である。
【図４】図３の印刷回路基板にシャント抵抗体を設けた図である。
【図５】シャント抵抗体の平面図である。
【図６】図２の複合型電流測定装置の線Ｉ−Ｉ'による断面図である。
【図７】シールド部材の平面図である。
【図８】図２の複合型電流測定装置の下面図である。
【図９】複合型電流測定装置の分解斜視図である。
【図１０】本発明の一実施例によるバッテリーパックを電気自動車に適用した例を概略的に示した図である。
【発明を実施するための形態】
【００２６】
本発明の実施形態は、通常の技術者に本発明をより完全に説明するために提供されるものであり、図面における構成要素の形状及び大きさなどは、より明確な説明のために誇張または省略されるか、概略的に示されることがある。したがって、各構成要素の大きさや割合は、実際の大きさや割合を完全に反映することではない。
【００２７】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２８】
図２は、本発明の一実施例による複合型電流測定装置の構成を示した斜視図であり、図３は、本発明の実施例による印刷回路基板の主要部分の平面図であり、図４は、図３の印刷回路基板にシャント抵抗体を設けた図である。
【００２９】
これらの図を参照すれば、本発明の一実施例による複合型電流測定装置１は、印刷回路基板１０と、印刷回路基板１０の下面に付着されるシャント抵抗体２０と、印刷回路基板１０の上面に実装されるホールセンサー３０と、を含む。
【００３０】
詳しくは後述するが、複合型電流測定装置１は、図２に示したように、シャント抵抗体２０及びホールセンサー３０をＢＭＳ印刷回路基板１０に連結するに際し、データケーブルまたは電源ケーブルなどの手段を用いることなく構成できる。このような部品の簡素化で製造コストを節減することができる。また、シャント抵抗体２０とホールセンサー３０との相互補完的かつ空間集約的な配置構造から、装置の体積を最小化することができる。
【００３１】
このような複合型電流測定装置１を構成する印刷回路基板１０は、バッテリーパックのバッテリー充放電管理装置であるＢＭＳ（Ｂａｔｔｅｒｙ  Ｍａｎａｇｅｍｅｎｔ  Ｓｙｓｔｅｍ）の印刷回路基板１０であり得る。
【００３２】
印刷回路基板１０は、図面の便宜上、図示していないが、シャント抵抗体２０の両端の電圧差及びホールセンサー３０の出力を電流値に変えるＡＤＣ  回路の外に、当業界に知られたプロセッサ、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、増幅器、比較器、レジスター、通信モデム、データ処理装置などを選択的に含み得る。
【００３３】
特に、本実施例による印刷回路基板１０は、ほぼ直四角形の板状体の形状や、図３のように、一側端縁が他の部分よりも突出して形成されたセンサー装着部１１を備える。センサー装着部１１は、シャント抵抗体２０及びホールセンサー３０を組み立てるための場所であって、突出方向と交差する方向（Ｘ軸方向）に沿った横長がシャント抵抗体２０よりも短く設けられる。
【００３４】
この場合、シャント抵抗体２０の両端部は、その上部が印刷回路基板１０によって遮蔽されず、露出した状態になるので、シャント抵抗体２０の両端部を他の部品に連結するのに容易である。例えば、電気自動車は、バッテリーパックの電力を負荷に供給するために高圧伝送ケーブル及び金属棒状のバスバー（図示せず）を電気配線材としてよく使用する。バッテリーパックと負荷との間に流れる電流を測定するためには、電気配線材の一つであるバスバーとシャント抵抗体２０との接続が必要となる。この際、バスバー（図示せず）とシャント抵抗体２０とは、両端部が相互にボルト結合方式で接続し得る。参考までに、シャント抵抗体の両端部に備えられているホールＨ２は、バスバーとのボルト結合のための用途で用いられ得る。
【００３５】
また、センサー装着部１１は、所定のギャップを置いて相互分離された第１装着部１１ａ及び第２装着部１１ｂを含み得る。
【００３６】
第１装着部１１ａ及び第２装着部１１ｂの下面には、シャント抵抗体２０が装着され、第２装着部１１ｂの上面には、ホールセンサー３０が装着され得る。
【００３７】
センサー装着部１１のギャップ１２ａ、１２ｂは、図３においてＹ軸方向に沿って形成されている第１ギャップ１２ａと、Ｘ軸方向に沿って形成されている第２ギャップ１２ｂと、を含む。これらの第１ギャップ１２ａ及び第２ギャップ１２ｂは、平面視でほぼ「Ｌ」字形であり得る。
【００３８】
シャント抵抗体２０は金属素材からなり、広い動作温度下で収縮／膨張を繰り返し得る。このようなシャント抵抗体２０の収縮／膨張によって印刷回路基板１０にクラック（ｃｒａｃｋ）が発生し得る。これに対し、本実施例は、シャント抵抗体２０が付着される箇所であるセンサー装着部１１に第１ギャップ１２ａを設けることでシャント抵抗体２０が付着される部位の破損を防止できる。
【００３９】
第１ギャップ１２ａは、シャント抵抗体２０の端子部２３、２５をセンサー装着部１１に付着するために、後述する二つのジョイント部材４１、４２がねじ結合するポイントの間に位置することが望ましい。
【００４０】
ポイントは、第１装着部１１ａ及び第２装着部１１ｂに各々設けられ得る。このようなポイントは、電圧測定ノード１３ａ、１３ｂの位置と同一である。電圧測定ノード１３ａ、１３ｂは、シャント抵抗体２０の抵抗部２１による電圧差を検知するために、ジョイント部材４１，４２によってシャント抵抗体２０の両端部２３、２５と接続する箇所である。
【００４１】
第２ギャップ１２ｂは、第１ギャップ１２ａのように印刷回路基板１０のクラック防止の目的と共に、後述するシールド部材５０の垂直板５１を組み立てるための空間として活用できる。
【００４２】
図５を参照すれば、本実施例のシャント抵抗体２０は、予め決められた抵抗値を有する抵抗部２１と、抵抗部２１の両側へ各々延びる端子部２３、２５を含む。抵抗部２１はマンガン（Ｍｎ）から形成され得、端子部２３、２５は銅（Ｃｕ）または銅合金から形成され得る。このようなシャント抵抗体２０に電流が流れるようになれば、抵抗部２１で電圧降下が発生するようになり、この際の電圧差を測定することで、オームの法則によって電流値を求めることができる。
【００４３】
既存のシャント抵抗体２０は、電圧測定用リードピンを印刷回路基板１０にはんだ付けして端子部２３、２５の両端の電圧を測定したことに対し、本発明の場合、電圧測定用リードピンの役割をジョイント部材４１，４２が果たす。ジョイント部材４１、４２としては、ねじまたはボルトを採用し得る。
【００４４】
このようなジョイント部材４１、４２は、シャント抵抗体２０をセンサー装着部１１の下面に固定する器具的な役割を果たすと共に、端子部２３、２５を印刷回路基板１０の電圧測定ノード１３ａ、１３ｂに電気的に接続する役割を果たす。
【００４５】
ジョイント部材４１、４２によるセンサー装着部１１とシャント抵抗体２０との締結及び電気的接続のために、通孔がセンサー装着部の電圧測定ノード１３ａ、１３ｂの中央に設けられ、ねじ山を備えた第１スクリュー孔Ｈ１がシャント抵抗体２０の端子部２３、２５に一つずつ設けられ得る。
【００４６】
図６に示したように、ジョイント部材４１、４２が、通孔及び第１スクリュー孔Ｈ１にスクリュー結合することで、シャント抵抗体２０の端子部２３、２５と電圧測定ノード１３ａ、１３ｂとが相互に電気的に接続し得る。この際、電圧測定ノード１３ａ、１３ｂによって検知された電圧は、印刷回路基板１０における増幅器及び比較器、ＡＤＣ回路などを経て電流値として転換できる。
【００４７】
このように印刷回路基板１０及びシャント抵抗体２０にスクリュー結合するねじのようなジョイント部材４１、４２を電圧検知の用途を兼ねる本実施例によれば、振動及び衝撃時にも、印刷回路基板１０とシャント抵抗体２０との電気的接続が安定的となるので、従来技術による電流センサーよりも破損ないし誤作動の危険を低めることができる。
【００４８】
一方、ホールセンサー３０とは、磁界が電流の流れる電線（導体）を鎖交するとき、その電線（導体）の両端に電位差が生じる物理現象であるホール効果（Ｈａｌｌ  ｅｆｆｅｃｔ）を用いて電流を測定するセンサーを指す。
【００４９】
本実施例の場合、ホールセンサー３０が印刷回路基板１０を挟んでシャント抵抗体２０と向い合うように印刷回路基板１０の上面に実装され、その下に位置したシャント抵抗体２０に流れる電流を測定するのに使用され得る。
【００５０】
例えば、ホールセンサー３０は、シャント抵抗体２０において、センサー装着部１１の下面に位置した中央部分に流れる電流による磁束変化に基づき、電圧値をホールセンサー３０と接続した印刷回路基板１０の上の回路（図示せず）に出力し、この値は、回路によって電流値に変換できる。
【００５１】
参考までに、本実施例のホールセンサー３０としては、通常、体積が大きい外部的な強磁性体コアを必要とせずに電流を正確に測定可能なＩＭＣ（ｉｎｔｅｇｒａｔｅｄ  ｍａｇｎｅｔｉｃ  ｃｏｎｃｅｎｔｒａｔｏｒ）技術が適用されたホールセンサー３０を採用し得る。但し、本発明の権利範囲がＩＭＣ技術の適用されたホールセンサー３０に限定されることではない。
【００５２】
本実施例の複合型電流測定装置１は、図２、図７及び図８を共に参照すれば、ホールセンサー３０の性能がさらに向上できるようにシールド部材５０をさらに含み得る。
【００５３】
シールド部材５０は、ホールセンサー３０及びシャント抵抗体２０の一部、即ち、ホールセンサー３０の下に位置したシャント抵抗体２０の中央部分を囲む壁体形状で設けられ得る。また、シールド部材５０は、金属素材として、例えば、ニッケル（Ｎｉ）またはニッケル、鉄、銅合金から製作され得る。このようなシールド部材５０は、磁束を集中させ、外部からホールセンサー３０を保護してホールセンサー３０の誤差を減らす役割を果たす。
【００５４】
具体的に、シールド部材５０は、壁体を形成する一対の垂直板５１、５３と、一対の垂直板５１、５３を連結する水平板５５と、を含み得る。
【００５５】
シールド部材５０の水平板５５は、横幅（Ｘ軸方向）が縦幅（Ｙ軸方向）よりも長く、両側の垂直板５１、５３の間に延びた形態で設けられ、延びた部分は、シャント抵抗体２０と並んで配置され得る。
【００５６】
そして、水平板５５は、ほぼ「Ｈ」字状に湾曲した部分５５ａを有する。湾曲した部分５５ａは、ジョイント部材４１、４２との接触を回避するためのものである。即ち、水平板５５は、ジョイント部材４１、４２との接触を回避できる形状であれば、必ずしも「Ｈ」字状でなくてもよい。
【００５７】
前述したシャント抵抗体２０及びシールド部材５０は、印刷回路基板１０との組立てが容易になるように、組立てガイドユニット６０を介して一つのアセンブリー形態で製作され得る。
【００５８】
即ち、本発明の一実施例による複合型電流測定装置１は、図８及び図９に示したように、シャント抵抗体２０とシールド部材５０とを一つのアセンブリー形態にして一体で印刷回路基板１０に装着するための組立てガイドユニット６０をさらに含み得る。
【００５９】
組立てガイドユニット６０は、二つの支持パーツ６１、６３及び絶縁板膜６５を含む。
【００６０】
二つの支持パーツ６１、６３は、所定の距離で離隔した位置でシャント抵抗体２０の周り及びシールド部材５０の水平板５５の周りを各々囲む二重構造で設けられ得る。
【００６１】
また、二つの支持パーツ６１、６３は、その間隔を印刷回路基板１０のセンサー装着部１１の横長に対応させることで、印刷回路基板１０に組み立てたとき、二つの支持パーツ６１、６３がセンサー装着部１１の縁線と形合わせされ得る。
【００６２】
そして、絶縁板膜６５は、二つの支持パーツ６１、６３を一体として連結し、シャント抵抗体２０とシールド部材５０の水平板５５との間に位置して、シャント抵抗体２０とシールド部材５０とが絶縁するように設けられ得る。
【００６３】
シャント抵抗体２０、シールド部材５０及び組立てガイドユニット６０からなるアセンブリーは、例えば、全部または一部がインサート成形（Ｉｎｓｅｒｔ  ｍｏｌｄｉｎｇ）法によって一体で製作され得る。
【００６４】
続いて、シャント抵抗体２０、シールド部材５０及び組立てガイドユニット６０からなるアセンブリーと印刷回路基板１０との組立て過程を簡略に説明すれば、次のようである。
【００６５】
先ず、アセンブリーを、センサー装着部１１の下面に密着させる。この際、シールド部材５０の垂直板５１、５３のいずれか一つをセンサー装着部１１の第２ギャップ１２ｂに挟み込むことでアセンブリーとセンサー装着部１１との組立て位置が自然に整列される。言い換えれば、電流センサーとして機能するためには、シャント抵抗体２０の中央部分がホールセンサー３０の直下に位置しなければならず、シールド部材５０はホールセンサー３０の部分を囲む組立て構図にすべきであるが、本発明は、このような組立て構図がアセンブリー及びセンサー装着部１１の幾何学的な特徴によって容易に充足される。
【００６６】
その後、ジョイント部材４１、４２を用いてセンサー装着部１１とアセンブリーとをスクリュー結合する。この際、ジョイント部材４１、４２は、二つのねじであり、二つのねじは、第１装着部１１ａ及び第２装着部１１ｂに一つずつ挟まれ、シャント抵抗体２０の端子部２３、２５と連結され得る。前述したように、ジョイント部材４１、４２は、シャント抵抗体２０の抵抗部２１の電圧差を測定するのに使用され得る。そして、ホールセンサー３０は、シャント抵抗体２０に流れる電流をホール効果に基づいて測定できる。
【００６７】
以上のような本実施例による複合型電流測定装置１の構成及び作用によれば、バッテリーパックと負荷との間に流れる電流をシャント抵抗体２０及びホールセンサー３０によって、各々異なる原理で二重で測定することができる。即ち、二種の電流センサーでバッテリーパックの電流を測定することができ、電流センサー同士の誤差の発生を含む誤作動の有無を感知及び診断することができる。したがって、複合型電流測定装置１が備えられたバッテリーパック及び上記バッテリーパックから電力を受ける電気自動車または電気駆動装置は、安全性が向上する。
【００６８】
一方、図１０を参照すれば、本発明によるバッテリーパック１００は、上述した複合型電流測定装置１を含み得る。バッテリーパックの電流は、複合型電流測定装置１を経由して負荷２００に流れ得る。
【００６９】
本発明によるバッテリーパック１００は、複合型電流測定装置１に加え、 パウチ型二次電池または缶型二次電池の集合体からなる少なくとも一つのバッテリーモジュールと、バッテリーモジュールを収納するためのパックケース、バッテリーモジュールの充放電を制御するための各種装置、例えば、ＢＭＳ、リレー、ヒューズなどをさらに含み得る。
【００７０】
バッテリーパックは、ハイブリッド電気自動車（ＨＥＶ）または電気自動車（ＥＶ）などのような電気自動車のモーターに電力を供給するエネルギー源として使用できる。また、バッテリーパックは、エネルギー貯蔵装置（ＥＳＳ）などに使用することも可能である。
【００７１】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【００７２】
なお、本明細書において、上、下、左、右、前、後のような方向を示す用語が使用されたが、このような用語は説明の便宜のためのものであるだけで、対象となる事物の位置や観測者の位置などによって変わり得ることは、当業者にとって自明である。
【図１】
2021512290.tif 000003
【図２】
2021512290.tif 000004
【図３】
2021512290.tif 000005
【図４】
2021512290.tif 000006
【図５】
2021512290.tif 000007
【図６】
2021512290.tif 000008
【図７】
2021512290.tif 000009
【図８】
2021512290.tif 000010
【図９】
2021512290.tif 000011
【図１０】
2021512290.tif 000012
【国際調査報告】
2021512290.tif 000013
2021512290.tif 000014
2021512290.tif 000015
2021512290.tif 000016